(57)【要約】【課題】描画が容易になる固形描画材及び筆記具を提供する。【解決手段】筆記具１は、固形描画材１０と、固形描画材１０が取り付けられる取手部材２０と、を備える。固形描画材１０は、描画部１１と、描画部１１から延びて描画部１１よりも細いネック部１２と、ネック部１２から描画部１１とは反対側に延びるアンカ部１３と、を備える。ネック部１２に対する描画部１１とアンカ部１３との対向方向Ａから見て、アンカ部１３は、ネック部１２から、対向方向Ａに対して直交する直交方向Ｂに突出している。取手部材２０は、アンカ部１３が通過しないようにネック部１２が挿入されるネック挿入部２３を有する。【選択図】図４
2020097166.tif 000002
【特許請求の範囲】
【請求項１】
取手部材に取り付けられる固形描画材であって、
描画部と、
前記描画部から延びて前記描画部よりも細いネック部と、
前記ネック部から前記描画部とは反対側に延びるアンカ部と、を備え、
前記ネック部に対する前記描画部と前記アンカ部との対向方向から見て、前記アンカ部は、前記ネック部から、前記対向方向に対して直交する直交方向に突出している、
固形描画材。
【請求項２】
前記対向方向における前記描画部の最大寸法は、前記直交方向における前記描画部の最小寸法よりも小さい、
請求項１に記載の固形描画材。
【請求項３】
前記描画部は、ドーム状に形成されている、
請求項１又は２に記載の固形描画材。
【請求項４】
前記対向方向から見て、前記描画部は、楕円状に形成されている、
請求項１〜３の何れか一項に記載の固形描画材。
【請求項５】
前記固形描画材に樹脂が含有されている、
請求項１〜４の何れか一項に記載の固形描画材。
【請求項６】
請求項１〜５の何れか一項に記載の固形描画材と、
前記固形描画材が取り付けられる取手部材と、を備え、
前記取手部材は、前記アンカ部が通過しないように前記ネック部が挿入されるネック挿入部を有する、
筆記具。
【請求項７】
前記取手部材は、環状に形成されている、
請求項６に記載の筆記具。
【請求項８】
前記取手部材は、前記描画部側に突出する凸部を有し、
前記描画部は、前記凸部が入り込む凹部を有する、
請求項６又は７に記載の筆記具。
【請求項９】
前記取手部材は、前記ネック挿入部の一部を有する第一分割体と、前記ネック挿入部の残りの一部を有する第二分割体と、を有し、
前記第一分割体と前記第二分割体とは、着脱可能に合体される、
請求項６〜８の何れか一項に記載の筆記具。
【発明の詳細な説明】
【技術分野】
【０００１】
本発明は、クレヨン等の固形描画材及び固形描画材を用いた筆記部に関する。
【背景技術】
【０００２】
従来、乳幼児が使用する筆記具として、クレヨンやクーピー等の棒状に形成された固形描画材が用いられている。このような棒状の固形描画材は、折れたり手に付いたりすることから、円筒状のホルダーに収容して用いられることもある（例えば、特許文献１，２参照）。
【先行技術文献】
【特許文献】
【０００３】
【特許文献１】実開平０６−００５９８７号公報
【特許文献２】特開２００６−１３０７２３号公報
【発明の概要】
【発明が解決しようとする課題】
【０００４】
ところで、固形描画材で描画するためには、固形描画材を把持する必要がある。しかしながら、指を動かす能力が十分に発達していない乳幼児は、棒状の固形描画材を把持することが難しい。ここで、乳幼児が持ちやすい部材を固形描画材に取り付けることが考えられるが、棒状の図形描画材には、特許文献１，２に記載されたような円筒状のホルダーしか取り付けることができない。しかも、図形描画材に円筒状のホルダーを取り付けても、乳幼児にとっては特段把持しやすくなるものでもない。
【０００５】
本発明は、乳幼児でも描画が容易になる固形描画材及び筆記具を提供することを目的とする。
【課題を解決するための手段】
【０００６】
本発明に係る固形描画材は、取手部材に取り付けられる固形描画材であって、描画部と、描画部から延びて描画部よりも細いネック部と、ネック部から描画部とは反対側に延びるアンカ部と、を備え、ネック部に対する描画部とアンカ部との対向方向から見て、アンカ部は、ネック部から、対向方向に対して直交する直交方向に突出している。
【０００７】
本発明に係る固形描画材では、描画部からネック部及びアンカ部が延びており、対向方向から見てアンカ部がネック部から直交方向に突出している。このため、アンカ部をネック部側から他の部材にアンカリングすることができる。これにより、描画部を露出させた状態で、固形描画部材を様々な形状の部材に取り付けることができるため、例えば、当該部材を乳幼児が把持しやすい形状とすることで、乳幼児でも、固形描画材を持ちやすくなって、容易に描画することができる。しかも、描画部がネック部よりも太いため、描画部を太くすることができる。これにより、描画を更に容易にすることができるとともに、描画部の欠け及び折れを抑制することができる。
【０００８】
ネック部に対する描画部とアンカ部との対向方向における描画部の最大寸法は、対向方向に対して直交する直交方向における描画部の最小寸法よりも小さくてもよい。この固形描画材では、上記対向方向における描画部の最大寸法が上記直交方向における描画部の最小寸法よりも小さいため、描画部の欠け及び折れを更に抑制することができる。
【０００９】
描画部は、ドーム状に形成されていてもよい。この固形描画材では、描画部がドーム状に形成されているため、描画を更に容易にすることができるとともに、描画部の欠け及び折れを更に抑制することができる。
【００１０】
ネック部に対する描画部とアンカ部との対向方向から見て、描画部は、楕円状に形成されていてもよい。この固形描画材では、上記対向方向から見て描画部が楕円状に形成されているため、上記対向方向から見て固形描画材が厚くなりすぎるのを抑制しつつ、固形描画材の向きによって描画される線の太さを変えることができる。
【００１１】
固形描画材に樹脂が含有されていてもよい。この固形描画材では、樹脂が含有されているため、形状保持性を高めることができる。このため、固形描画部材を取り付ける部材に、ネック部側からアンカ部を引っ掛けた際に、アンカ部に欠け及び折れが生じるのを抑制することができる。
【００１２】
本発明に係る筆記具は、上記の何れかの固形描画材と、固形描画材が取り付けられる取手部材と、を備え、取手部材は、アンカ部が通過しないようにネック部が挿入されるネック挿入部を有する。
【００１３】
本発明に係る筆記具では、取手部材に、アンカ部が通過しないようにネック部が挿入されるネック挿入部が形成されている。このため、ネック部がネック挿入部に挿入されることで、アンカ部がネック部側から取手部材にアンカリングされ、固形描画材が取手部材に取り付けられた状態となる。このため、例えば、取手部材を乳幼児が把持しやすい形状とすることで、乳幼児は、取手部材を介することで固形描画材を持ちやすくなるため、乳幼児でも描画が容易になる。しかも、取手部材を把持することで、固形描画材で手が汚れるのを抑制することができる。
【００１４】
取手部材は、環状に形成されていてもよい。この筆記具では、取手部材が環状に形成されているため、乳幼児が取手部材をつかみやすくなる。これにより、描画を更に容易にすることができる。
【００１５】
取手部材は、描画部側に突出する凸部を有し、描画部は、凸部が入り込む凹部を有してもよい。この筆記具では、固形描画材に凹部が形成されているため、固形描画材の体積を小さくして材料費を低減することができる。しかも、固形描画材の凹部に取手部材の凸部が入り込むため、取手部材に対する固形描画材のぐらつきも抑制することができる。
【００１６】
取手部材は、ネック挿入部の一部を有する第一分割体と、ネック挿入部の残りの一部を有する第二分割体と、を有し、第一分割体と第二分割体とは、着脱可能に合体されてもよい。この筆記具では、取手部材が互いに着脱可能に合体される第一分割体及び第二分割体を有し、第一分割体及び第二分割体が、それぞれネック挿入部の一部を有するため、第一分割体及び第二分割体を合体及び分離することで、取手部材に対して固形描画材を容易に着脱することができる。これにより、例えば、取手部材に対して固形描画材を容易に交換することができる。
【発明の効果】
【００１７】
本発明によれば、乳幼児でも描画が容易になる。
【図面の簡単な説明】
【００１８】
【図１】実施形態に係る筆記具を示す正面図である。
【図２】実施形態に係る筆記具を示す側面図である。
【図３】実施形態に係る筆記具を示す平面図である。
【図４】図２に示すＩＶ−ＩＶ線における断面図である。
【図５】実施形態に係る固形描画材を示す正面図である。
【図６】実施形態に係る固形描画材を示す側面図である。
【図７】実施形態に係る固形描画材を示す平面図である。
【図８】図５に示すＶＩＩＩ−ＶＩＩＩ線における断面図である。
【図９】図６に示すＩＸ−ＩＸ線における断面図である。
【図１０】図２に示すＩＶ−ＩＶ線における取手部材の断面図である。
【図１１】図１１（ａ）は取手部材の第一分割体を示す図、図１１（ｂ）は取手部材の第二分割体を示す図である。
【図１２】変形例の筆記具を示す断面図である。
【図１３】図１３（ａ）は変形例の筆記具を示す平面図、図１３（ｂ）は図１３（ａ）におけるＸＩＩＩｂ−ＸＩＩＩｂにおける断面図である。
【図１４】図１４（ａ）は変形例の筆記具を示す平面図、図１４（ｂ）は図１４（ａ）におけるＸＩＶｂ−ＸＩＶｂにおける断面図である。
【図１５】変形例の筆記具を示す正面図である。
【発明を実施するための形態】
【００１９】
以下、図面を参照して、本発明に係る固形描画材及び筆記具の好適な実施形態について詳細に説明する。なお、図面中の同一又は相当部分には同一符号を付すこととする。
【００２０】
［筆記具］
図１〜図３に示すように、本実施形態に係る筆記具１は、乳幼児等が描画するためのものであり、固形描画材１０と、固形描画材１０が取り付けられる取手部材２０と、を備える。
【００２１】
［固形描画材］
固形描画材１０は、それ自体が描画可能なものであり、例えば、クレヨン、クーピー（株式会社サクラクレパスの登録商標）、パステル、オイルパステル、ベビーコロール（株式会社ブンチョウの登録商標）である。形状保持性の観点からは、固形描画材１０として、樹脂（プラスチック）が含有されたプラスチック固形描画材を用いることができる。プラスチック固形描画材は、例えば、色粉等の色素を混ぜ合わせた樹脂を射出成型することにより製造することができる。プラスチック固形描画材に含有される樹脂は、例えば、ポリエチレンである。プラスチック固形描画材、例えば、クーピー、ベビーコロールである。
【００２２】
図４〜図８に示すように、固形描画材１０は、描画部１１と、描画部１１から延びるネック部１２と、ネック部１２から描画部１１とは反対側に延びるアンカ部１３と、を備える。ここで、ネック部１２に対する描画部１１とアンカ部１３との対向方向を対向方向Ａといい、対向方向Ａに直交する方向を直交方向Ｂという。
【００２３】
描画部１１は、描画するための部位である。描画部１１の形状は、描画することができる形状であれば特に限定されるものではない。描画しやすく、且つ、欠け及び折れを抑制する観点から、対向方向Ａにおける描画部１１の最大寸法ｄ１（図５参照）は、直交方向Ｂにおける描画部１１の最小寸法ｄ２（図７参照）よりも小さくすることができる。
【００２４】
同様の観点から、描画部１１は、ネック部１２に対するアンカ部１３とは反対側に凸となるドーム状とすることができる。この場合、対向方向Ａから見た描画部１１のドーム形状は、特に限定されるものではなく、例えば、真円形、又は楕円形とすることができる。本実施形態では、描画部１１は、対向方向Ａから見て楕円形のドーム状であるものとして説明する。ここで、対向方向Ａから見て、描画部１１の楕円形の長軸方向を、長軸方向ｄ３といい、描画部１１の楕円形の短軸方向を、短軸方向ｄ４という（図７参照）。
【００２５】
描画部１１のアンカ部１３側の面には、凹部１４が形成されている。凹部１４の形状は、特に限定されるものではないが、例えば、長軸方向ｄ３に沿った円弧状（凹曲面状）とすることができる（図５参照）。なお、凹部１４は、描画部１１のアンカ部１３側の面の全面に形成されていてもよく、この面の一部にのみ形成されていてもよい。
【００２６】
取手部材２０にアンカ部１３をアンカリングさせるための部分である。アンカリングとは、引っ掛けること、係止すること等をいう。ネック部１２は、描画部１１よりも細い。ここで、細いとは、直交方向Ｂにおける最大断面積が小さいことをいう。このため、ネック部１２は描画部１１よりも細いとは、ネック部１２の直交方向Ｂにおける最大断面積が描画部１１の直交方向Ｂにおける最大断面積よりも小さいことをいう。描画部１１のアンカ部１３側の面の略中央部に位置しており、対向方向Ａに沿って描画部１１のアンカ部１３側の面から延びている。
【００２７】
アンカ部１３は、取手部材２０にアンカリングされる部分である。アンカ部１３は、対向方向Ａから見て、ネック部１２から直交方向Ｂに突出している。アンカ部１３は、対向方向Ａから見て、ネック部１２の全周から直交方向Ｂに突出していてもよく、ネック部１２の一部のみから直交方向Ｂに突出していてもよい。本実施形態では、アンカ部１３は、対向方向Ａから見て、長軸方向ｄ３においてのみネック部１２から直交方向Ｂに突出しており、短軸方向ｄ４においてはネック部１２から直交方向Ｂに突出していないものとして説明する。
【００２８】
アンカ部１３の描画部１１側の面１５は、描画部１１の凹部１４との間に所定の隙間が生じるように、凹部１４に対応した形状、つまり、長軸方向ｄ３に沿った円弧状（凸曲面状）に形成されている。長軸方向ｄ３において、アンカ部１３は、描画部１１よりも短く形成されており、ネック部１２よりも長く形成されている。短軸方向ｄ４において、アンカ部１３は、描画部１１よりも短く形成されており、ネック部１２と略同じ長さに形成されている。なお、アンカ部１３の形状は、取手部材２０にアンカリングされる形状であれば特に限定されるものではない。
【００２９】
［取手部材］
図１〜図３及び図９に示すように、取手部材２０は、固形描画材１０が取り付けられる部材である。取手部材２０は、例えば、中空の樹脂成型品である。取手部材２０に用いられる樹脂は、例えば、ＡＢＳ樹脂である。
【００３０】
取手部材２０は、乳幼児が把持するための把持部２１と、固形描画材１０を取り付けるための取付部２２と、を備えている。
【００３１】
把持部２１は、乳幼児が把持しやすいように、環状に形成されている。把持部２１の管形状としては、特に限定されるものではないが、例えば、おにぎりのような略三角状とすることができる。把持部２１の内周面側には、乳幼児の指が引っ掛かりやすいように、凹凸を形成してもよい。
【００３２】
取付部２２には、アンカ部１３が通過しないようにネック部１２が挿入されるネック挿入部２３と、アンカ部１３が収容されるアンカ収容部２４と、が形成されている。例えば、取手部材２０が中空の樹脂成型品である場合、取手部材２０の外周壁に形成された貫通孔がネック挿入部２３となり、取手部材２０の中空部がアンカ収容部２４となる。ネック挿入部２３の形状は、アンカ部１３が通過しないようにネック部１２が挿入される形状であれば特に限定されるものではないが、例えば、ネック部１２の外形に対応した形状とすることで、取手部材２０に対する固形描画材１０のぐらつきを抑制することができる。なお、取付部２２は、把持部２１の一部としてもよく、把持部２１とは別の部分としてもよい。
【００３３】
取手部材２０の描画部１１側の面には、描画部１１側に突出して凹部１４に入り込む凸部２５が形成されている。凸部２５の形状は、特に限定されるものではないが、例えば、凹部１４に対応した形状、つまり、長軸方向ｄ３に沿った円弧状（凸曲面状）である（図４及び図１０参照）。
【００３４】
図１１示すように、取手部材２０は、互いに着脱可能に合体される第一分割体２０ａ及び第二分割体２０ｂにより構成されてもよい。第一分割体２０ａは、ネック挿入部２３の一部と、アンカ収容部２４の一部と、を有しており、第二分割体２０ｂは、ネック挿入部２３の残りの一部と、アンカ収容部２４の残りの一部と、を有している。
【００３５】
第一分割体２０ａと第二分割体２０ｂとの着脱を可能にする構造は、特に限定されるものではない。例えば、第一分割体２０ａに貫通孔が形成されたボス２６ａを形成し、第二分割体２０ｂにネジ穴が形成されたボス２６ｂを形成する。そして、ボス２６ａに挿入したネジをボス２６ｂにねじ込むことにより、第一分割体２０ａと第二分割体２０ｂとを合体することができる。一方、このネジを外すことで、第一分割体２０ａと第二分割体２０ｂとを分離してネック挿入部２３及びアンカ収容部２４を開放することができる。
【００３６】
この場合、例えば、次のようにして、取手部材２０に固形描画材１０を取り付けることができる。まず、第一分割体２０ａと第二分割体２０ｂとを分離する。次に、第一分割体２０ａ及び第二分割体２０ｂの間に固形描画材１０を挟み込む。このとき、第一分割体２０ａ及び第二分割体２０ｂのネック挿入部２３に固形描画材１０のネック部１２を挿入するとともに、第一分割体２０ａ及び第二分割体２０ｂのアンカ収容部２４に固形描画材１０のアンカ部１３を収容する。次に、ボス２６ａに挿入したネジをボス２６ｂにねじ込むことにより、第一分割体２０ａと第二分割体２０ｂとを合体する。これにより、固形描画材１０が取手部材２０に取り付けられる。取手部材２０に対する固形描画材１０の取り外しは、この逆を行えばよい。
【００３７】
このように、本実施形態に係る固形描画材１０では、描画部１１からネック部１２及びアンカ部１３が延びており、対向方向Ａから見てアンカ部１３がネック部１２から直交方向Ｂに突出している。このため、アンカ部１３をネック部１２側から他の部材にアンカリングすることができる。これにより、描画部１１を露出させた状態で、固形描画材１０を様々な形状の部材に取り付けることができるため、例えば、当該部材の形状を乳幼児が把持しやすい形状とすることで、乳幼児でも、固形描画材１０を持ちやすくなって、容易に描画することができる。しかも、描画部１１がネック部１２よりも太いため、描画部１１を太くすることができる。これにより、描画を更に容易にすることができるとともに、描画部１１の欠け及び折れを抑制することができる。
【００３８】
また、対向方向Ａにおける描画部１１の最大寸法ｄ１が直交方向Ｂにおける描画部１１の最小寸法ｄ２よりも小さい場合は、描画部１１の欠け及び折れを更に抑制することができる。
【００３９】
また、描画部１１がドーム状に形成されている場合は、描画を更に容易にすることができるとともに、描画部１１の欠け及び折れを更に抑制することができる。
【００４０】
また、対向方向Ａから見て描画部１１が楕円状に形成されている場合は、対向方向Ａから見て固形描画材１０が厚くなりすぎるのを抑制しつつ、固形描画材１０の向きによって描画される線の太さを変えることができる。
【００４１】
また、固形描画材１０に樹脂が含有される場合は、固形描画材１０の形状保持性を高めることができる。このため、固形描画材１０を取り付ける部材に、ネック部１２側からアンカ部１３を引っ掛けた際に、アンカ部１３に欠け及び折れが生じるのを抑制することができる。
【００４２】
本実施形態に係る筆記具１では、取手部材２０に、アンカ部１３が通過しないようにネック部１２が挿入されるネック挿入部２３が形成されている。このため、ネック部１２がネック挿入部２３に挿入されることで、アンカ部１３がネック部１２側から取手部材２０にアンカリングされ、固形描画材１０が取手部材２０に取り付けられた状態となる。このため、例えば、取手部材２０を乳幼児が把持しやすい形状とすることで、乳幼児は、取手部材２０を介することで固形描画材１０を持ちやすくなるため、乳幼児でも描画が容易になる。しかも、取手部材２０を把持することで、固形描画材１０で手が汚れるのを抑制することができる。
【００４３】
また、取手部材２０が環状に形成されている場合は、乳幼児が取手部材２０をつかみやすくなる。これにより、描画を更に容易にすることができる。
【００４４】
また、固形描画材１０に凹部１４が形成されている場合は、固形描画材１０の体積を小さくして材料費を低減することができる。しかも、固形描画材１０の凹部１４に取手部材２０の凸部２５が入り込む場合は、取手部材２０に対する固形描画材１０のぐらつきも抑制することができる。
【００４５】
また、取手部材２０が互いに着脱可能に合体される第一分割体２０ａ及び第二分割体２０ｂを有し、第一分割体２０ａ及び第二分割体２０ｂが、それぞれネック挿入部２３の一部を有する場合は、第一分割体１０Ａ及び第二分割体２０ｂを合体及び分離することで、取手部材２０に対して固形描画材１０を容易に着脱することができる。これにより、例えば、取手部材２０に対して固形描画材１０を容易に交換することができる。
【００４６】
また、取手部材２０が樹脂成型品である場合は、取手部材２０を容易に製造することができる。
【００４７】
以上、本発明の好適な実施形態について説明したが、本発明は上記実施形態に限定されるものではない。例えば、図１２に示す筆記具１０１のように、固形描画材１１０に凹部が形成されておらず、取手部材１２０に凸部が形成されていなくてもよい。この場合、描画部のアンカ部側の面、アンカ部の描画部側の面、及び取手部材の描画部側の面は、例えば、平面とすることができる。
【００４８】
また、図１３に示すように、描画部２１１と、ネック部２１２と、アンカ部２１３と、を備える固形描画材２１０において、アンカ部２１３は、対向方向Ａから見て、ネック部２１２の全周から直交方向Ｂに突出していてもよい。また、図１４に示すように、描画部３１１と、ネック部３１２と、アンカ部３１３と、を備える固形描画材３１０において、アンカ部３１３は、対向方向Ａから見て、ネック部３１２の一部のみから直交方向Ｂに突出していてもよい。
【００４９】
また、取手部材の形状は、特に限定されるものではなく、例えば、図１５に示す筆記具５０１のように、棒状の取手部材５２０に固形描画材１０が取り付けられていてもよい。
【符号の説明】
【００５０】
１…筆記具、１０…固形描画材、１０Ａ…第一分割体、１１…描画部、１２…ネック部、１３…アンカ部、１４…凹部、１５…面、２０…取手部材、２０ａ…第一分割体、２０ｂ…第二分割体、２１…把持部、２２…取付部、２３…ネック挿入部、２４…アンカ収容部、２５…凸部、２６ａ…ボス、２６ｂ…ボス、１０１…筆記具、１１０…固形描画材、１２０…取手部材、２１０…固形描画材、２１１…描画部、２１２…ネック部、２１３…アンカ部、３１０…固形描画材、３１１…描画部、３１２…ネック部、３１３…アンカ部、５０１…筆記具、５２０…取手部材、Ａ…対向方向、Ｂ…直交方向。
【図１】
2020097166.tif 000003
【図２】
2020097166.tif 000004
【図３】
2020097166.tif 000005
【図４】
2020097166.tif 000006
【図５】
2020097166.tif 000007
【図６】
2020097166.tif 000008
【図７】
2020097166.tif 000009
【図８】
2020097166.tif 000010
【図９】
2020097166.tif 000011
【図１０】
2020097166.tif 000012
【図１１】
2020097166.tif 000013
【図１２】
2020097166.tif 000014
【図１３】
2020097166.tif 000015
【図１４】
2020097166.tif 000016
【図１５】
2020097166.tif 000017